(57)【要約】【課題】  ホテル客に、ホテルへ入場してから退場するまでの間、エレベータ内の他にフロントや廊下などにおいても他客との遭遇を回避させ得るホテル客室予約装置、ホテル、及びホテルシステムの提供。【解決手段】  二方向にエレベータ扉を備えた客用エレベータを設け、１階において、ホテル入口から前記入口専用エレベータホールにかけての空間と、前記出口専用エレベータホールからホテル出口にかけての空間とを、ホテル客同士が互いに視認不可能なように区画し、２階以上の各階において、エレベータホールに入口扉を面した客室をそれぞれ設け、前記エレベータホールが１フロアーに二箇所設けられる場合には、該エレベータホールを、ホテル客同士が互いに視認不可能なように区画する。【選択図】図２
2005258823.tif 000002
【特許請求の範囲】
【請求項１】
ホテルに設置されるホストコンピュータと接続され、ホテル外部に設置されるホテル客室予約受付装置であって、
当該装置は、客室紹介パネル部と予約操作部とから構成され、
前記客室紹介パネル部には、
全客室の少なくとも内観写真を一覧表示する手段と、
予約可能な客室を空室として表示する手段とが備えられ、
前記予約操作部には、
前記予約可能な客室を選択し、予約する手段と、
前記予約された客室の予約情報を前記ホストコンピュータに送信する手段とが備えられたことを特徴とするホテル客室予約受付装置。
【請求項２】
車で来場したホテル客が、車を降りることなく、客室予約を行うことを可能とした請求項１記載の客室予約受付装置。
【請求項３】
ホテル客に他客との遭遇を回避させる、複数階を有するホテルであって、
二方向にエレベータ扉を備えた客用エレベータが前記複数階の全階にわたって連続して上下に延在して設けられ、
１階において、前記二方向のエレベータ扉に通ずる位置には、入口専用エレベータホールと出口専用エレベータホールとが設けられ、
ホテル入口から前記入口専用エレベータホールにかけての空間と、前記出口専用エレベータホールからホテル出口にかけての空間とが、ホテル客同士が互いに視認不可能なように区画され、
２階以上の各階において、前記二方向のエレベータ扉のうち少なくとも一方向に通ずる位置にエレベータホールが設けられ、
前記エレベータホールに通ずる一の客室がそれぞれ設けられ、
前記エレベータホールが１フロアーに二箇所設けられる場合には、該エレベータホールが、ホテル客同士が互いに視認不可能なように区画されたことを特徴とするホテル。
【請求項４】
客用エレベータが二台以上設けられる場合には、
１階において、前記入口専用エレベータホール及び前記出口専用エレベータホールが、ホテル客同士が互いに視認不可能なように、それぞれ区画され、
２階以上の各階において、前記エレベータホールが、ホテル客同士が互いに視認不可能なように、それぞれ区画されたことを特徴とする請求項３記載のホテル。
【請求項５】
２階以上のフロアーにおいて、フロアー全部又は一部に、露天風呂、大浴場、プールのうち少なくとも一の設備が設けられ、
該設備が設けられるフロアーにおいては、前記二方向のエレベータ扉のうち少なくとも一方向と通ずる位置にエレベータホールが設けられ、該エレベータホールに通ずる前記一の設備がそれぞれ設けられ、
更に、該エレベータホールが１フロアーに２箇所以上設けられる場合には、該エレベータホールが、ホテル客同士が互いに視認不可能なように、それぞれ区画されたことを特徴とする請求項３又は４記載のホテル。
【請求項６】
ホテル客に他客との遭遇を回避させるホテルシステムであって、
当該システムは、
請求項１又は２記載のホテル客室予約受付装置と、請求項３乃至５のいずれかに記載のホテルとから構成され、
前記客用エレベータには、
前記客用エレベータかご内に乗客があるか否かを感知するセンサーが設置され、
前記センサーの感知によって、１階において、出口専用エレベータホール側のエレベータ扉を優先的に開閉し、エレベータかご内の乗客と入口専用エレベータホールの待ち客との遭遇を回避する手段が備えられたことを特徴とするホテルシステム。
【請求項７】
前記客用エレベータには、
エレベータ乗客の予約済客室階のみに、エレベータを停止させる手段が備えられたことを特徴とする請求項６記載のホテルシステム。
【請求項８】
前記手段とは、前記客用エレベータのエレベータ操作盤に、
ルームキー、磁気カード、ＩＣカード、非接触ＩＣカード、非接触ＩＣ搭載携帯電話のうち、いずれか一を接触又は非接触交信させるものであることを特徴とする請求項７記載のホテルシステム。
【請求項９】
ホテル駐車場の各駐車スペースには、車を目隠しするためのスクリーンカーテンが設置され、
当該スクリーンカーテンは、上げ下ろしを自在とされたことを特徴とする請求項６乃至８のいずれかに記載のホテルシステム。
【請求項１０】
ホテルと駐車場との間を自動走行するカートが設置され、当該カートが、駐車場に車をとめたホテル客を、ホテルまで送迎することを特徴とする請求項６乃至９のいずれかに記載のホテルシステム。
【発明の詳細な説明】
【技術分野】
【０００１】
本発明は、ホテル客に、ホテルへの入場から退場までの間、他客との遭遇を回避させ得る技術に関する。
【背景技術】
【０００２】
従来、ホテル等における他客との遭遇を回避する技術として、エレベータのかご呼優先運転方式が知られている。これは、利用者のかご内での他の乗客との乗り合せを回避するために、かご呼が登録されると、途中の乗り場呼に応答せず、かご呼がすべてなくなった後に、乗り場呼に順次応答するようにしたものである。
【０００３】
図１２は、このような、かご呼優先運転の手順を示すものである。例えば、かご又は乗場ボタンの操作により、かご又は乗場呼が登録されると、まずＳ120においてかご呼が有るか否か判定し、かご呼びがないと判定されたときは、Ｓ123に移行して通常の乗場呼サービスを行う。また、Ｓ120でかご呼があると判定された場合は、Ｓ121に移行してかご呼サービスを実行する。その後、かご呼の全てにサービス終了したか否かをＳ122で判定し、まだかご呼があれば、再びＳ121に戻ってかご呼サービスを行い、終了したならばＳ123に移行して乗場呼サービスを行う。
【０００４】
上記のような、従来のかご呼運転方式に対して、乗場呼による方向決定がなされた後でも、かご呼が登録された時点でかご呼による方向決定を可能とし、かご呼運転が最優先されるようにしたエレベータ運転装置を提供するものとして、例えば特許文献１がある。
一方で、二方向に扉を備えたエレベータが公知であるが、これに対しては、エレベータかごの底板に回転板を回転自在に嵌装して、身障者用の車椅子をその場で旋回できるようにしたものとして、例えば特許文献２がある。
【０００５】
【特許文献１】特開平１−２２６６７４
【特許文献２】特許番号第２６０２９１３号
【発明の開示】
【発明が解決しようとする課題】
【０００６】
しかしながら、従来のエレベータのかご呼優先運転方式では、エレベータかご内においては、他客との乗り合わせを防止することはできるものの、フロントや廊下などホテル内の他の場所においては、他客と遭遇してしまうといった状況を回避することはできなかった。また、特許文献１によっても、このような状況を回避することはできない。
さらに、従来の二方向に扉を備えたエレベータを、かかる観点からホテル等に応用したものはなく、車椅子の向きを自由にかえて乗りかごから安全に昇降することを目的とした特許文献２によっても、当然ながら上記の問題を解決することはできない。
【０００７】
本発明は、かかる問題に鑑みてなされたものである。すなわち本発明は、ホテル客に、ホテルへ入場してから退場するまでの間、エレベータ内の他にフロントや廊下などにおいても他客との遭遇を回避させ得るホテル客室予約受付装置、ホテル、及びホテルシステムを提供するものである。
【課題を解決するための手段】
【０００８】
上記の課題を解決するために、請求項１記載のホテル客室予約受付装置は、ホテルに設置されるホストコンピュータと接続され、ホテル外部に設置されるホテル客室予約受付装置であって、当該装置は、客室紹介パネル部と予約操作部とから構成され、前記客室紹介パネル部には、全客室の少なくとも内観写真を一覧表示する手段と、予約可能な客室を空室として表示する手段とが備えられ、前記予約操作部には、前記予約可能な客室を選択し、予約する手段と、前記予約された客室の予約情報を前記ホストコンピュータに送信する手段とが備えられたことを要旨とする。
【０００９】
請求項２記載のホテル客室予約受付装置は、請求項１記載の構成であって、車で来場したホテル客が、車を降りることなく、客室予約を行うことを可能としたことを要旨とする。
【００１０】
請求項３記載のホテルは、ホテル客に他客との遭遇を回避させる、複数階を有するホテルであって、二方向にエレベータ扉を備えた客用エレベータが前記複数階の全階にわたって連続して上下に延在して設けられ、１階において、前記二方向のエレベータ扉に通ずる位置には、入口専用エレベータホールと出口専用エレベータホールとが設けられ、ホテル入口から前記入口専用エレベータホールにかけての空間と、前記出口専用エレベータホールからホテル出口にかけての空間とが、ホテル客同士が互いに視認不可能なように区画され、２階以上の各階において、前記二方向のエレベータ扉のうち少なくとも一方向に通ずる位置にエレベータホールが設けられ、前記エレベータホールに通ずる一の客室がそれぞれ設けられ、前記エレベータホールが１フロアーに二箇所設けられる場合には、該エレベータホールが、ホテル客同士が互いに視認不可能なように区画されたことを要旨とする。
【００１１】
請求項４記載のホテルは、請求項３記載の構成であって、客用エレベータが二台以上設けられる場合には、１階において、前記入口専用エレベータホール及び前記出口専用エレベータホールが、ホテル客同士が互いに視認不可能なように、それぞれ区画され、２階以上の各階において、前記エレベータホールが、ホテル客同士が互いに視認不可能なように、それぞれ区画されたことを要旨とする。
【００１２】
請求項５記載のホテルは、請求項３又は４記載の構成であって、２階以上のフロアーにおいて、フロアー全部又は一部に、露天風呂、大浴場、プールのうち少なくとも一の設備が設けられ、該設備が設けられるフロアーにおいては、前記二方向のエレベータ扉のうち少なくとも一方向と通ずる位置にエレベータホールが設けられ、該エレベータホールに通ずる前記一の設備がそれぞれ設けられ、更に、該エレベータホールが１フロアーに２箇所以上設けられる場合には、該エレベータホールが、ホテル客同士が互いに視認不可能なように、それぞれ区画されたことを要旨とする。
【００１３】
請求項６記載のホテルシステムは、ホテル客に他客との遭遇を回避させるホテルシステムであって、当該システムは、請求項１又は２記載のホテル客室予約受付装置と、請求項３乃至５のいずれかに記載のホテルとから構成され、前記客用エレベータには、前記客用エレベータかご内に乗客があるか否かを感知するセンサーが設置され、前記センサーの感知によって、１階において、出口専用エレベータホール側のエレベータ扉を優先的に開閉し、エレベータかご内の乗客と入口専用エレベータホールの待ち客との遭遇を回避する手段が備えられたことを要旨とする。
【００１４】
請求項７記載のホテルシステムは、請求項６記載の構成であって、前記客用エレベータには、エレベータ乗客の予約済客室階のみに、エレベータを停止させる手段が備えられたことを要旨とする。
【００１５】
請求項８記載のホテルシステムは、請求項７記載の構成であって、前記手段とは、前記客用エレベータのエレベータ操作盤に、ルームキー、磁気カード、ＩＣカード、非接触ＩＣカード、非接触ＩＣ搭載携帯電話のうち、いずれか一を接触又は非接触交信させるものであることを要旨とする。
【００１６】
請求項９記載のホテルシステムは、請求項６乃至８のいずれかに記載の構成であって、ホテル駐車場の各駐車スペースには、車を目隠しするためのスクリーンカーテンが設置され、当該スクリーンカーテンは、上げ下ろしを自在とされたことを要旨とする。
【００１７】
請求項１０記載のホテルシステムは、請求項６乃至９のいずれかに記載の構成であって、ホテルと駐車場との間を自動走行するカートが設置され、当該カートが、駐車場に車をとめたホテル客を、ホテルまで送迎することを要旨とする。
【発明の効果】
【００１８】
本発明によれば、ホテル外部に設置されるホテル客室予約受付装置によって、ホテル内に入る前にあらかじめ客室を予約することができ、予約情報が事前にホテル側に送信されているため、ホテル客は非常に速やかにチェックインを行うことが可能となる。その結果、ロビー等のホテル内で、どの客室にするか選択を迷っている間に、他客と遭遇してしまうといった心配がなくなる。
【００１９】
また本発明によれば、ホテル１階において、ホテル入口から入口専用エレベータホールにかけての空間と出口専用エレベータホールからホテル出口にかけての空間とが、ホテル客同士が互いに視認不可能なように区画されているため、ホテルへの入場客と退場客とがロビー周辺で遭遇してしまうといった状況を回避することができる。
２階以上の各階においても、一のエレベータホールに対応して一の客室が配置されており、エレベータホールは、ホテル客同士が互いに視認不可能なように相互に区画されているため、エレベータから客室までの間において他客と遭遇するおそれがなくなる。
【００２０】
さらに、本発明によれば、二方向にエレベータ扉を備えたエレベータが客用エレベータとして設置され、センサーの感知によって出口専用エレベータホール側のエレベータ扉が優先的に開閉されるため、エレベータかご内の乗客（退場客）と、エレベータホールでの待ち客（入場客）とが、1階エレベータホールにおいてばったり出くわすといったことがなくなる。
本発明に係る客用エレベータは、二方向にエレベータ扉を備え、ホテル入場客と退場客とが、同じエレベータを使用するものであるため、エレベータを入場客用と退場客用とに分けて設置する必要がなく、一台のエレベータを効率良く活用することが可能となる。
【発明を実施するための最良の形態】
【００２１】
本発明に係るホテルは、ホテル客の便宜のために、敷地内に駐車場を有することが好ましい。駐車場は、平面式、立体式、屋外、屋内等いずれの形式でもよい。また台数に制限は無いが、ホテル客室数と同数以上を設けることが好ましい。ただし、スペースや予算等の関係で、駐車場を設けなくてもよい。
【００２２】
本発明においては、ホテル外部に、ホテル客室予約受付装置を設置する。当該装置は、ホテルのフロントや事務室に設置されるホストコンピュータと接続されており、客室紹介パネル部と予約操作部を含んで構成される。
客室紹介パネル部は、各客室の内観写真や利用料金など、客室の特徴がわかるように全客室を一覧にしてパネル化したものであり、照明を点灯させる等して予約可能な客室（空室）がわかるように表示したものである。パネルの大きさは、少なくとも各客室の写真の相違が判別できる程度のものであればよい。
予約操作部は、上記客室紹介パネル部で表示される空室を予約操作することができるボタン類を備えるものであり、予約操作を行った情報が上記ホストコンピュターに送信されるようになっている。予約操作部は、客室紹介パネル部と一体化してタッチパネルにより形成してもよい。
その他フリーダイヤルや非接触ＩＣ搭載携帯電話を用いて、客室紹介パネルを見ながら、音声案内や必要事項の入力発信によって客室予約できることとしてもよい。
【００２３】
ホテル客室予約受付装置は、図４に示すように、駐車場入口部分等に設置してドライブスルーで使用させる他、図５に示すように、駐車スペース等に設置して使用させてもよい。
ドライブスルーで使用させる場合には、ホテル客が、車に乗ったまま予約操作できるように、客室紹介パネル部と予約操作部を構成する。例えば、図４のように、車からの目線の位置に客室紹介パネル部を配置し、さらに、車から手を伸ばして操作し易いように、操作台を設けた上に予約操作部を設置する。
上記装置は、互いに連携させて、複数箇所に設置することとしてもい。
【００２４】
本発明に係るホテルには、ホテル客用にエレベータ（以下、「ＥＶ」と称する）を少なくとも１台設置する。その他に、ホテル従業員用にサービス用ＥＶを設けてもよい。
客用ＥＶは二方向に扉を有するものを用い、１階におけるホテル入場者のＥＶ入口とホテル退場者のＥＶ出口とを分離することとするが、２階以上については、後述のように、客室数との関係からＥＶ出入口を１箇所のみとしてもよい。
【００２５】
ホテル１階は、少なくとも、ロビー、フロント、入口専用ＥＶホール、出口専用ＥＶホールによって構成される。
入口専用ＥＶホールと出口専用ＥＶホールは、間仕切壁や常時閉鎖式の扉等によって区画し、ホテル客同士が互いに視認不可能なように視覚的に分離するものとする。ＥＶを２台以上設置する場合には、入口専用ＥＶホール相互、出口専用ＥＶホール相互も、間仕切壁や常時閉鎖式の扉等によって区画し、視覚的に分離する。
また、ホテル客がホテル入口から入口専用ＥＶホールに向かうまでの導線と、出口専用ＥＶホールからホテル出口に向かうまでの導線とが交差しないように空間構成を行う。
【００２６】
２階以上には客室を設けるが、各階の客室数は、１台の客用ＥＶのＥＶ扉（ＥＶ出入口）１箇所につき１室とする。すなわち、客用ＥＶが２台でありＥＶ扉が各階２箇所ずつ設けられている場合には、各階の客室数は４室となる。
各階の客室数は全て同一でなくてもよく、例えば、４階は４室（４階のＥＶ扉が計４箇所であるとき）、５階は２室（５階のＥＶ扉が計２箇所であるとき）、というように階によって客室数を異ならせてもい。
また、ＥＶ扉１箇所につき、ＥＶホールが１箇所ずつ設置され、各ＥＶホールに面して、あるいは近傍に、各客室の入口扉を設ける。各階には、ＥＶ扉の箇所数分だけＥＶホールが設置されることとなるが、ＥＶホール相互は間仕切壁や常時閉鎖式の扉等によって区画し、視覚的に分離する。
【００２７】
本発明に係るホテルに設置される客用ＥＶは、通常運転機能、かご呼優先運転機能の他に、1階において出口専用ＥＶ扉を優先的に開閉する機能を有するものである。
本発明に係る客用ＥＶは図８に示すごとく構成されており、上記各機能は、ＣＰＵ、メモリ、入力回路、及び出力回路を備えたマイクロコンピュータによって制御される。入力回路には、外部入力装置が接続され、乗場ボタン（５２）（５２’）、かご操作盤（５３）、センサー（５４）の各信号が入力されるようになっている。また、出力回路には、駆動制御装置、及びＥＶ扉開閉制御装置が接続され、その出力信号はそれぞれ駆動モータ、及びＥＶ扉（５１）（５１’）に供給されるようになっている。
センサー（５４）は、ＥＶかご（５０）内に乗客があるか否かを感知できるものであれば、感知方法、設置場所等は問わない。
【００２８】
本発明に係る、出口専用ＥＶ扉優先開閉機能について図面に基づいて説明する。当該機能は、上記のセンサー（５４）とＥＶ扉開閉制御装置との連動によって実現されるものである。
まず、ホテル客（入場者）が1階から上階に向かう場合について、図９に基づいて説明する。入場者が、1階入口専用ＥＶホールにて、乗場ボタンを押して乗場呼を行うと（Ｓ90）、かご呼が有るか否か判定される（Ｓ91）。かご呼が有る場合とは、ＥＶかご内に乗客（退場者）がある場合であり、1階にＥＶが到着後（Ｓ92、Ｓ93）、出口専用ＥＶホール側のＥＶ扉が優先的に開閉される（Ｓ94）。そして、全ての退場者がＥＶから降りて出口専用ＥＶホール側のＥＶ扉が閉じると、入口専用ＥＶホール側のＥＶ扉が開き、入場者がＥＶに乗込み可能となる（Ｓ95）。
かご呼が無い場合には、1階にＥＶが到着すると、ただちに入口専用ＥＶホール側のＥＶ扉が開き、入場者が乗込み可能となる（Ｓ95）。
【００２９】
次に、ホテル客（退場者）が上階から1階に向かう場合について、図１０に基づいて説明する。退場者が、上階（乗場呼階）にて、乗場ボタンを押して乗場呼を行うと（Ｓ100）、上記同様、かご呼が有るか否か判定される（Ｓ101）。かご呼が有る場合には、ＥＶはかご呼び優先運転を行い（Ｓ102）、終了後にＥＶかごが空の状態で乗場呼階に到着する（Ｓ103）。退場者が乗込み、ＥＶが1階に到着すると（Ｓ104、Ｓ105）、出口専用ＥＶホール側のＥＶ扉が開き、退場者が退出可能となる（Ｓ106）。
かご呼びが無い場合には、ただちに乗場呼階にＥＶが到着し（Ｓ103）、退場者が乗込み可能となる。
なお、1階にＥＶ待ち客（入場者）がある場合でも、上述のように、出口専用ＥＶホール側のＥＶ扉が優先的に開閉される（Ｓ106）。
【００３０】
本発明においては、ホテル２階以上の部分に露天風呂、大浴場、プールの設備を設けることとしてもよい。１フロアー全てに上記設備を設けることとする他、１フロアーの一部のみに設けることとしてもよく、また、複数階に設けてもよい。
上記設備を設ける場合も、上述の客室の場合と同様に、エレベータ扉１箇所につき、ＥＶホールを１箇所設け、該ＥＶホールに面して、あるいは近傍に、一の設備の入口扉を設ける。さらに、ＥＶホールを間仕切壁や常時閉鎖式の扉等によって区画する点も同様である。
【００３１】
また、駐車場の駐車スペ−スには、図６に示すように、駐車した車を目隠しできるように、上げ下げ自在なロールスクリーンを設置することとしてもよい。ロールスクリーンはホテル内のフロントや事務室で制御・遠隔操作する。
【００３２】
本発明においては、ホテル客室予約受付装置と接続されたホストコンピュータが、ホテルのフロントや事務室に設置されており、該装置による予約情報が、ホテル客のチェックイン前に、事前にホストコンピュータに送信されてくる。
ホテル入場者は、フロントで、ルームキー、磁気カード、ＩＣカード、非接触ＩＣカード等を受け取るが、これらはＥＶ操作や客室入室のために必要となる。
客用ＥＶは、ＥＶ乗客が誤って自分の予約済客室階（目的階）以外にＥＶを停止させないための機能を有する。すなわちＥＶ乗客は、ルームキーや磁気カード等を、ＥＶ操作盤の所定の位置に差し込む等、接触させることによって行き先（予約済客室）を設定するものとし、目的階以外の階を指定することができないようになっている。さらに、客用ＥＶは、上記行き先が設定されるとＥＶ乗客の予約済客室を認識し、ＥＶ扉開閉制御装置との連動によって、目的階到着後、当該客室に通ずる方のＥＶ扉を自動的に開閉する機能を有している。
【００３３】
また、非接触ＩＣカード等を用いる場合には、ＥＶ操作盤、客室入口扉等に端末を設置し、端末とホストコンピュータとをデータ回線によって接続した構成とする。ホテル客は、非接触ＩＣカード等を、端末と非接触交信させることにより、ＥＶ操作（目的階のみへの停止）、客室への入室等が可能となる。
【００３４】
なお、本発明に係るホテルは、ＲＣ造、ＳＲＣ造、Ｓ造等、あらゆる構造、構法に対応し、階数や床面積等についても、建築基準法等の関係法令上の規制を受ける他は、特に制限を設けるものではない。
【実施例１】
【００３５】
本発明の第1の実施例を図面に基づいて説明する。本実施例は、他客との遭遇を回避可能としたホテルに関する。
図１は実施例に係る１階平面図兼配置図、図２は実施例に係る２〜６階平面図、図４はルーム予約パネルの使用状況を示す図、図５はルーム予約パネルの他の使用状況を示す図、図６はスクリーンカーテンを示す図、図７は実施例に係るルームパネル及び自動扉を示す図、図１１は実施例に係るホテル入場から退場までのフロー図である。
【００３６】
本実施例に係るホテルは、図１に示すような敷地に建設される。敷地は矩形状で、その一辺のみが前面道路と接しており、敷地内には、客室数と同数（１６台分）の駐車場が設けられている。前面道路から駐車場への入場・退場は、それぞれ一方通行となっている。
なお、敷地面積は１０００ｍ2であり、敷地周囲には、隣地境界線上に高さ２．５ｍ程度の塀が設けられている。  
【００３７】
本実施例に係るホテルは、鉄筋コンクリート造６階建で、１階床面積２６５．１ｍ2、２階〜６階床面積各２８３．５ｍ2、延床面積１６８２．６ｍ2、建築面積２８８．３ｍ2であり、建蔽率は２８．８％、容積率は１６８．３％となっている。
【００３８】
駐車場入口には、図１、図４に示すように、ホテル客室予約受付装置としてルーム予約パネル（１）が設置されている。ルーム予約パネルは、ホテル１階のフロント（１２）又は事務室（１３）に設置されるホストコンピュータと接続されている。
ルーム予約パネル（１）は、車の左右ハンドルのいずれにも対応できるように車路両側に設置されており、ホテル客は車から降りることなく、いわゆるドライブスルーで客室予約できるようになっている。
なお、本実施例では、ルーム予約パネルを駐車場入口付近に設けているが、ホテル外部であれば、設置場所はこれに限定されるものではなく、例えば、図１（１’）のように駐車場スペースに設置してもよく、さらに複数台設置してもよい。
【００３９】
また、駐車された車を目隠しするための布製のスクリーンカーテン（４）が、図１及び図６に示すように、駐車場の車路側の駐車スペースごとに設置される。
駐車場に車が駐車されると、駐車場に設置された防犯カメラでホテルフロントが確認し、フロントからの遠隔操作によってスクリーンカーテン（４）が下ろされるようになっている。上述のルーム予約パネル（１’）が、図６のように、駐車場スペースに設置される場合にあっては、スクリーンカーテン（４）で目隠しされながら、車を降りてゆっくり客室予約することが可能となる。
【００４０】
ホテル１階には、図１に示すように、ロビー（１１）、フロント（１２）、事務室（１３）、入口専用ＥＶホール（１６）（１６’）が配置される。ロビー（１１）には、ルームパネル（１４）が設置されており、駐車場入口のルーム予約パネル（１）で客室予約をしなかった客は、ここでも客室を選択することができるようになっている。
ルームパネル（１４）は、図７に示すように、客室の紹介兼選択パネルより構成され、タッチパネルで空室を選択できるようになっている。
【００４１】
上記ルームパネル（１４）と、駐車場入口等のルーム予約パネル（１）（１’）（１’’）とは互いに連携しており、一方において客室を選択すると、他方において空室ランプが消灯して該客室は選択できなくなる。
ホテル客は、ホテル外部に設置されたルーム予約パネル（１）（１’）（１’’）、ロビーに設置されたルームパネル（１４）のいずれにおいても客室の選択・予約ができるが、いずれか1箇所において客室が選択・予約されると、ある程度の時間間隔をあけないと、次の予約は受付されないようになっている。
また、フロント（１２）に先客がいる間は、後からくるホテル客が先客と鉢合わせとならないように、ホテル入口（１０）やルーム予約パネル（１）（１’）（１’’）等に、先客がいる旨の表示を行うこととしてもよい。係る表示は、ロビー（１１）に先客があるか否かを感知するセンサーと接続するか、フロントからの操作等によって行う。
これによって、週末等の混雑時であっても、ロビー（１１）やフロント（１２）でホテル客が滞留してしまうといった状況を回避することが可能となる。
【００４２】
本実施例では、図１に示すように、客用ＥＶ（５）（５’）が２台設けられており、それぞれ互いに相仕切られた入口専用ＥＶホール（１６）（１６’）が設置されている。ロビー（１１）と入口専用ＥＶホール（１６）（１６’）との間には自動扉（１５）（１５’）が設けられているが、入口専用ＥＶホール（１６）（１６’）の天井に設置されたセンサー等によって、入口専用ＥＶホール（１６）（１６’）内に先客（ＥＶ待ち客）がある場合には自動扉（１５）（１５’）は開かず、先客がＥＶ（５）（５’）に乗込んでＥＶ扉（１７）（１７’）が閉じた後に自動扉（１５）（１５’）が開くように制御されている。
予約した客室によって、使用するＥＶ（５）（５’）が異なるため、図７に示すように、音声案内（２２）（２２’）や照明案内（２３）（２３’）によって、ホテル客は使用する方の入口専用ＥＶホール（１６）（１６’）に誘導されるようになっている。
【００４３】
客用ＥＶ（５）（５’）には、図１に示すように、各２箇所のＥＶ扉（１７）（１９）及び（１７’）（１９’）が設けられており、それぞれ入口専用ＥＶホール（１６）（１６’）、出口専用ＥＶホール（１８）（１８’）が面している。
入口専用ＥＶホール（１６）（１６’）、出口専用ＥＶホール（１８）（１８’）は、それぞれホテル入場客、ホテル退場客の利用に供され、ホテル入場客の導線とホテル退場客の導線とは明確に分離されている。すなわち、ホテル入場客は入口専用ＥＶホール（１６）（１６’）側からＥＶ（５）（５’）に乗込み上階に向かうが、ホテル退場客が上階から1階に降りてきた際には、ＥＶ扉は出口専用ＥＶホール（１８）（１８’）に面した扉（１９）（１９’）のみが開くように制御されているため、ホテル退場客は出口専用ＥＶホール（１８）（１８’）側からホテル出口（２１）（２１’）に向かうこととなる。そして、ＥＶかご内の天井等に設けられたセンサーによって、ＥＶ乗客（退場客）がＥＶかご内にいる間は、入口専用ＥＶホール（１６）（１６’）側のＥＶ扉（１７）（１７’）は開かないようになっている。退場客が出口専用ＥＶホール（１８）（１８’）に出てＥＶ扉（１９）（１９’）が閉じた後に、入口専用ＥＶホール（１６）（１６’）側のＥＶ扉（１７）（１７’）が開き、ＥＶ待ち客（入場客）が乗込可能となる。
【００４４】
出口専用ＥＶホール（１８）（１８’）は、それぞれ出口専用通路（２０）（２０’）、ホテル出口（２１）（２１’）に通じているが、図１に示すように、これらはロビー（１１）、フロント（１２）、入口専用ＥＶホール（１６）（１６’）からは、間仕切壁によって隔てられている。本実施例では、出口専用ＥＶホール（１８）（１８’）は、各ＥＶ（５）（５’）を利用した退場客が互いに顔を合わせることがないように、矩の手に配置されている。
【００４５】
２階〜６階は、図２に示すように、主としてホテル客室となっており、各階４室、計１６室の客室が配置される。
客用ＥＶ（５）には、１階と同様、２箇所のＥＶ扉（３１）（３１’）が設けられており、各々ＥＶホール（３０）（３０’）が設置されている。各ＥＶホール（３０）（３０’）は、間仕切壁（３４）や常閉式防火扉（３５）によって互いに相仕切られており、それぞれ客室（３３）（３３’）の入口扉（３２）（３２’）に面している。
このようにして、２〜６階の全客室が、入口扉を隔ててそれぞれ専用のＥＶホールを有するものとなっている。
【００４６】
ホテルへの入場から退場までの流れについて、図１〜図２及び図１１を用いて、さらに説明する。
ホテル入場者は、車での来場の場合、まず駐車場入口に設置されたルーム予約パネル（１）にて、客室を選択して予約する（Ｓ110）。このルーム予約パネル（１）の操作は、上述したように、車から降りることなく行うことができる。予約完了後は、車を所定の駐車スペースに留めて、ホテル入口（１０）より入場する。車を駐車した場所には、上述のスクリーンカーテン（４）が下ろされる。
なお、駐車場入口以外にルーム予約パネル（１’）（１’’）を設置してもよい。
【００４７】
ホテルに入ると、フロント（１２）にて、予約した客室のルームキーを受け取る（Ｓ111）。フロント（１２）には、ルーム予約パネル（１）による客室予約情報が、事前に通知されているので、速やかにルームキーの受け渡しを受けることができる。
タクシーや徒歩で来場した場合には、ロビー（１１）に設置されたルームパネル（１４）で客室を選択することができる（Ｓ110’）。タクシーや徒歩での来場者であっても、ルーム予約パネル（１）（１’）（１’’）を利用してもよい。また、車での来場者であっても、ルームパネル（１４）を利用してもよい。
客室の鍵を受け取った後、音声案内（２２）（２２’）や照明案内（２３）（２３’）等によって、使用する方の入口専用ＥＶホール（（１６）とする）に向かうが（Ｓ112）、ＥＶホールの自動扉（１５）は、上述したように、先客があると開かないため、その場合には自動扉前で待機する。
【００４８】
自動扉（１５）が開くと、入口専用ＥＶホール（１６）に入り、乗場ボタン（上昇ボタン）を押してＥＶ（５）が到着するのを待つ。ＥＶ（５）が到着した際に、乗客（退場者）がＥＶかご内にある場合には、上述したように、退場者が出口専用ＥＶホール（１８）に出てしまうまで、ＥＶ扉（１７）は開かない。
ＥＶ扉（１７）が開きＥＶ（５）に乗込んだ後、ルームキーをＥＶ操作盤の所定の位置に差込むと、ＥＶ（５）は予約した客室（（３３）とする）がある階（目的階）に向かって上昇をはじめる。目的階に到着して予約した客室側のＥＶ扉（３１）が自動的に開くと、ＥＶホール（３０）を介して、予約した客室の入口扉（３２）が目の前にあるので、ルームキーを用いて入室する（Ｓ113）。
【００４９】
客室内にはＥＶ呼出ボタンが設置されており、退室時には、それを押して客室でＥＶ（５）が到着するのを待つ。この場合に、他客と乗合わせとならないように、ＥＶ（５）はかご呼優先運転されている。
ＥＶ（５）に乗込み１階に到着すると、出口専用ＥＶホール（１８）側のＥＶ扉（１９）が開くので、出口専用通路（２０）を通って、ホテル出口（２１）より退場する。このとき、入口専用ＥＶホール（１６）に待ち客（入場者）がある場合でも、上述のように、出口専用ＥＶホール（１８）側のＥＶ扉（１９）が優先的に開閉する。
客室の鍵は、ホテル出口横に設けられた鍵返却口に返却して、チェックアウトする（Ｓ115）。
【００５０】
なお、本実施例では、客用ＥＶの操作、客室への入室にルームキーを用いたが、その他に、磁気カード、ＩＣカード、非接触ＩＣカード等を用いることができる。
また、非接触ＩＣを搭載した携帯電話を用いて、ホテル客が必要事項をホテルフロント側へ送信し（図１１、Ｓ110’’）、ホテル側から電話、メール、非接触ＩＣにて予約確認・予約完了の通知を受けて（図１１、S111’’）、予約に使用した携帯電話を、ＥＶ操作、客室への入室や利用料金の清算等に利用することとしてもよい。この場合には、ホテル客は、フロントでルームキー等を受け取ることなく、直接エレベータホールに移動し（S112）、携帯電話に搭載された非接触ＩＣの交信によって、予約済客室階にＥＶを停止させ、ルームキー等なしで予約済客室に入室することが可能となる。
【００５１】
以上、本実施例によれば、駐車場入口等にルーム予約パネル（１）が設置されており、車を降りることなく、空室を確認して好みの客室を予約することができるため、非常に便利であり、他客と遭遇する心配なく客室を予約することができる。
【００５２】
また、１階ロビー（１１）と入口専用ＥＶホール（１６）（１６’）との間には自動扉（１５）（１５’）が設けられており、入口専用ＥＶホール（１６）（１６’）内に先客がある場合には自動扉（１５）（１５’）が開かないように制御されているため、週末等でホテルが混雑しているときでも、ＥＶ（５）（５’）かご内の他客との乗り合せの防止が可能となる。
【００５３】
ＥＶ（５）（５’）は、エレベータ操作盤にルームキーを接触等させることによって操作するものであり、ホテル客は自分の予約した客室以外の階・ＥＶホールに行くことができず、また誤って他の階のボタンを押してしまうといった心配もないため、ホテル客同士の遭遇を確実に回避できる。
また、各階の客室は、それぞれ専用のＥＶホールを有するため、ホテル客は、ＥＶが目的階に到着してＥＶ扉が開いた瞬間から、他客と遭遇するおそれのない自分だけの客室空間のイメージをもつことが可能となる。
【００５４】
さらに、駐車場に車を駐車した場合に、目隠し用のスクリーンカーテン（４）が、ホテル側の遠隔操作によって下ろされるため、他のホテル客等から車のナンバーや車種等が視認されてしまうことを防止することができ、安心してホテルを利用することが可能となる。
【実施例２】
【００５５】
本発明の第２の実施例を、図面に基づいて説明する。本実施例は、
他客との遭遇を回避可能としたホテルであって、屋上階に露天風呂を有するホテルに関する。
図１は実施例に係る１階平面図兼配置図、図２は実施例に係る２階〜６階平面図、図３は実施例に係る屋上階平面図、図１１は実施例に係るホテル入場から退場までのフロー図である。
【００５６】
本実施例に係るホテルは、図３に示すように、最上階に露天風呂（４３）（４３’）を有するものである。敷地や１階〜６階の建物構成は、実施例１と同様である。
本実施例では、屋上床面積１４４．９ｍ2、延床面積１８２７．５ｍ2、容積率１８２．８％となっている。
【００５７】
露天風呂（４３）（４３’）は、２箇所設けられており、それぞれ脱衣休憩室（４４）（４４’）やトイレが併設されている。
屋上階に関しては、各ＥＶ（５）（５’）には、1箇所ずつＥＶ扉（４１）（４１’）とＥＶホール（４０）（４０’）が設けられ、それぞれ脱衣休憩室（４４）（４４’）に通じている。
ＥＶホール（４０）（４０’）は、間仕切壁（４５）や常閉式防火扉（４６）によって互いに他から仕切られており、各露天風呂専用のＥＶホールを形成している。
【００５８】
露天風呂は時間貸しとなっており、ホテル客はプライベートで利用できるが、一旦客室に入室してからＥＶ（５）（５’）で屋上に行くこととしてもよいし、ロビー（１１）から直接屋上階へ行くことも可能である（図１１、S114）。
露天風呂利用客は、フロントで、ルームキーと露天風呂利用のための露天風呂利用キーを受け取る。ルームキーをＥＶ操作盤の所定の位置に差し込む等接触させることによって、１階から予約済客室階へのＥＶの停止、屋上階から予約済客室階へのＥＶの停止、さらに客室への入室ができるようになっている。また、露天風呂利用キーを、同様にＥＶ操作盤の所定の位置に差し込む等接触させることによって、１階から屋上階へのＥＶの停止、予約済客室階から屋上階へのＥＶの停止、さらに露天風呂への入室ができるようになっている。
客用ＥＶは、かご呼優先運転及び出口専用ＥＶホール側扉優先開閉運転を行うため、露天風呂利用客は他客と遭遇することなく、１階、予約済客室階、屋上階の間を移動することが可能となる。
【００５９】
本実施例においては、ＥＶ操作、客室入室、露天風呂入室のために、ルームキーを用いることとしたが、その他に磁気カード、ＩＣカード、非接触ＩＣカード、非接触ＩＣ搭載携帯電話等を用いることとしてもよいのは、実施例１と同様である。
【００６０】
以上、本実施例によれば、屋上階に露天風呂（４３）（４３’）が設置され、一の露天風呂につき客室２室分の床面積があてられているため、ホテル客は、客室以外の広々とした快適な空間を体験することが可能となる。
しかも、各エレベータ（５）（５’）から各露天風呂までは、専用のエレベータホール（４０）（４０’）を介して行くことができるため、他客と遭遇することなく、完全にプライベートで露天風呂を楽しむことができ、非常に魅力的なホテル設備を提供することが可能となる。
【実施例３】
【００６１】
本発明の第３の実施例について説明する。本実施例は、他客との遭遇を回避可能としたホテルにおいて、特に駐車場における自動走行カートに関する。
【００６２】
本実施例に係る自動走行カートは無人操向可能なカートであって、図示は省略するが、フロントルーフ、天井ルーフ、サイドルーフ等をすべて不透明の樹脂板により構成し、２人乗車可能なシートを備えるものである。乗車客の少なくとも顔が外部から視認されないものであれば、他の構成によってもよい。
駐車場の車路には、図１に示すように、誘導線（６０）が埋設されており、該誘導線に沿ってカートが自動走行可能とされている。また、誘導線には、カートを自動停止させるための自動停止位置が適宜設定されている。
カートには、誘導線を検出する電磁誘導センサーと、自動停止位置を検出する非接触センサーとが備えられている。
また、カートにステアリングハンドルやブレーキペダル、アクセルペダル等を設けて、所定の切替機構により、無人操向と手動操向とを併用することとしてもよい。
なお本実施例では、スムーズにカーブを切れるように、カートの前輪タイヤを１個のみとして三輪式で構成する。
【００６３】
本実施例においては、ホテル客が来場して車を駐車スペースに停車させると、別に設けられたセンサーが車を感知して、無線等によってカートが、停車された車の近傍まで自動走行して停止するようになっている。駐車スペースに、カート呼出ボタンを設置しておき、ホテル客が該ボタンを押してカートを呼び出すこととしてもよい。
ホテル客がカートに乗車して発進ボタン等を押すと、カートが再び自動走行をはじめてホテル入口（１０）前で停止するため、ホテル客はカートを降りてチェックインを行う。カートを、フロント（１２）や入口専用エレベータホール（１６）（１６’）までホテル客を乗せて走行させることとしてもよい。
また、ホテル客が退場する場合には、カートがホテル出口（２１）（２１’）にて待機しており、カートに乗車して発進ボタン等を押すと、カートが所定の駐車スペースに向かって自動走行するようになっている。カートは、客室内のＥＶ呼出ボタンと連動させることによって、あるいは客室内等に設けるカート呼出ボタンによって、呼び出して待機させておくことができる。また、カートを呼び出した客室を認識させることで、カートを所定の駐車スペース近傍で自動停止させることが可能となる。
【００６４】
以上、本実施例によれば、ホテル客が車で来場した場合に、駐車スペースからホテル建物まで自動走行カートによって送迎されるため、入場する際に駐車場からホテル建物に向かうまでの間、あるいは退場する際にホテル建物から駐車場に向かうまでの間においても、他客と出会ってしまうおそれが無く、より完全に他客との遭遇を回避しうるホテルシステムを提供することが可能となる。
【産業上の利用可能性】
【００６５】
本発明によれば、ホテル客が、ホテルに入場してから退場するまでの間、他客との遭遇を容易かつ確実に回避し得るため、本発明は、いわゆるラブホテルやシティホテル等において特に有効に用いることができる。さらに本発明は、個人のプライバシー保護が一層求められる現代社会において、最適なホテル及びホテルシステムを提供することを可能とするものであり、産業上の利用可能性を有する。
【図面の簡単な説明】
【００６６】
【図１】実施例に係る１階平面図兼配置図である。
【図２】実施例に係る２階〜６階平面図である。
【図３】実施例に係る屋上階平面図である。
【図４】ルーム予約パネルの使用状況を示す図である。
【図５】ルーム予約パネルの他の使用状況を示す図である。
【図６】スクリーンカーテンを示す図である。
【図７】実施例に係るルームパネル及び自動扉を示す図である。
【図８】本発明に係るエレベータの構成を示す図である。
【図９】本発明に係る出口専用エレベータ扉の優先開閉の機能を示すフロー図である。
【図１０】本発明に係る出口専用エレベータ扉の優先開閉の機能を示すフロー図である。
【図１１】実施例に係るホテル入場から退場までのフロー図である。
【図１２】従来のかご呼優先運転の機能を示すフロー図である。
【符号の説明】
【００６７】
１  ルーム予約パネル
２  客室紹介パネル部
３  予約操作部
４  スクリーンカーテン
５、５’  客用エレベータ
６  サービス用エレベータ
１０  ホテル入口  
１１  ロビー
１２  フロント
１３  事務室
１４  ルームパネル
１５、１５’  自動扉
１６、１６’  入口専用エレベータホール
１７、１７’  エレベータ扉
１８、１８’  出口専用エレベータホール
１９、１９’  エレベータ扉
２０、２０’  出口専用通路
２１、２１’  ホテル出口
２２、２２’  音声案内
２３、２３’  照明案内
３０、３０’  エレベータホール
３１、３１’  エレベータ扉
３２、３２’  出入口扉
３３、３３’  客室
３４  間仕切壁
３５  防火扉
４０、４０’  エレベータホール
４１、４１’  エレベータ扉
４２、４２’  出入口扉  
４３、４３’  露天風呂
４４、４４’  脱衣休憩室
４５  間仕切壁
４６  防火扉
５０  エレベータかご
５１、５１’  エレベータ扉
５２、５２’  乗場ボタン
５３  エレベータ操作盤
５４  センサー
６０  誘導線
【図８】
2005258823.tif 000003
【図９】
2005258823.tif 000004
【図１０】
2005258823.tif 000005
【図１１】
2005258823.tif 000006
【図１２】
2005258823.tif 000007
【図１】
2005258823.tif 000008
【図２】
2005258823.tif 000009
【図３】
2005258823.tif 000010
【図４】
2005258823.tif 000011
【図５】
2005258823.tif 000012
【図６】
2005258823.tif 000013
【図７】
2005258823.tif 000014